(57)【要約】【課題】中古車のオークションなどで取引する際の車両取得費用の融資において、融資を受ける側による手続が容易で利便性を向上した融資に関する管理を行う車両取得費用管理システムを提供することである。【解決手段】オークション会員が車両をオークションで落札して取得する際の、該オークション会員に対する該取得費用の融資に関する情報をコンピュータを用いて管理する車両取得費用管理システムにおいて、前記オークション会員が融資を受けるための申請の情報を登録する会員情報登録手段と、前記オークション会員の個人情報と前記会員情報登録手段によって登録された内容とに基づいた、該オークション会員に対する融資に関する審査結果を登録する審査結果登録手段とを備えた。【選択図】図２
2007249769.tif 000002
【特許請求の範囲】
【請求項１】
オークション会員が車両をオークションで落札して取得する際の、該オークション会員に対する該取得費用の融資に関する情報をコンピュータを用いて管理する車両取得費用管理システムにおいて、
前記オークション会員が融資を受けるための申請の情報を登録する会員情報登録手段と、
前記オークション会員の個人情報と前記会員情報登録手段によって登録された内容とに基づいた、該オークション会員に対する融資に関する審査結果を登録する審査結果登録手段と
を備えたことを特徴とする車両取得費用管理システム。
【請求項２】
前記オークション会員の個人情報と前記会員情報登録手段によって登録された内容とに基づいた、該オークション会員に対する融資に関する審査を行う審査手段をさらに有し、
前記審査結果登録手段が、前記審査手段による審査結果を登録する
ことを特徴とする請求項１に記載の車両取得費用管理システム。
【請求項３】
前記審査手段が、該オークション会員が融資を受けること自体の適格を審査する基本審査部と、今回の融資が該オークション会員に対して定められた融資限度額以下のものであるかの審査を行う残額審査部とを有する
ことを特徴とする請求項２に記載の車両取得費用管理システム。
【請求項４】
前記審査手段による審査の基準を保持する融資適格審査基準ＤＢをさらに備えたことを特徴とする請求項２または３に記載の車両取得費用管理システム。
【請求項５】
前記オークションで前記オークション会員が車両を落札した際の情報を登録する落札車両情報登録手段をさらに備えたことを特徴とする請求項１ないし４のうちのいずれか１項に記載の車両取得費用管理システム。
【請求項６】
前記落札車両情報登録手段が、該落札した車両に対する融資の返済期限を登録し、
前記落札車両情報登録手段によって登録された、該落札した車両に対する融資の返済期限に基づいて、該融資を受けたオークション会員に対して該返済期限の通知を行う通知手段をさらに備えたことを特徴とする請求項５に記載の車両取得費用管理システム。
【請求項７】
オークション会員が車両をオークションで落札して取得する際の、該オークション会員に対する該取得費用の融資に関する情報を管理するためコンピュータで動作する車両取得費用管理プログラムにおいて、
コンピュータを、
前記オークション会員が融資を受けるための申請の情報を登録する会員情報登録手段として機能させるプログラムと、
前記オークション会員の個人情報と前記会員情報登録手段によって登録された内容とに基づいた、該オークション会員に対する融資に関する審査結果を登録する審査結果登録手段として機能させるプログラムと
を備えたことを特徴とする車両取得費用管理プログラム。
【発明の詳細な説明】
【技術分野】
【０００１】
本発明は車両取得費用管理システムに関し、詳しくは、車両取得に要する費用の融資に関する管理を行う車両取得費用管理システムに関する。
【背景技術】
【０００２】
車両の価格は高価なものであるため、その購入にあたっては、現金で直接購入する方法のほかに、融資を受けて購入することが多々ある。
【０００３】
このような購入代金（車両取得費用）の融資においては、利用者の利便性を向上させるとともに融資する側のリスクの低減も望まれる。
【０００４】
たとえば特許文献１に記載の「オークション代金の融資決済システム」では、中古車のオークション取引において、物件ごとの決済処理の安定性を高め、融資リスクを分散させることによって中古車業者等に対するより大きな決済支援を行うことのできるシステムを提供することを目的とし、中古車のオークション代金の融資を会員に対して行う際に、会員と決済機関との間に決済仲介機関が介在するようにしている。
【０００５】
【特許文献１】特開２００４−１５２０８５号公報
【発明の開示】
【発明が解決しようとする課題】
【０００６】
ところで、上述の特許文献１のようなシステムでは、決済機関におけるリスクの低減はされるものの、融資を受ける側からするとその車両取得費用の融通に対して魅力を感じるものではなかった。たとえば従来は、融資の都度に融資を受ける側による申請手続が必要で手間がかかるものであった。
【０００７】
本発明は上記の点にかんがみてなされたもので、たとえば中古車のオークションなどで取引する際の車両取得費用の融資において、融資を受ける側による手続が容易で利便性を向上した融資に関する管理を行う車両取得費用管理システムを提供することを目的とする。
【課題を解決するための手段】
【０００８】
本発明は上記の目的を達成するために、オークション会員が車両をオークションで落札して取得する際の、該オークション会員に対する該取得費用の融資に関する情報をコンピュータを用いて管理する車両取得費用管理システムにおいて、前記オークション会員が融資を受けるための申請の情報を登録する会員情報登録手段と、前記オークション会員の個人情報と前記会員情報登録手段によって登録された内容とに基づいた、該オークション会員に対する融資に関する審査結果を登録する審査結果登録手段とを備えたことを特徴とする。
【０００９】
また本発明は、請求項１に記載の発明において、前記オークション会員の個人情報と前記会員情報登録手段によって登録された内容とに基づいた、該オークション会員に対する融資に関する審査を行う審査手段をさらに有し、前記審査結果登録手段が、前記審査手段による審査結果を登録することを特徴とする。
【００１０】
また本発明は、請求項２に記載の発明において、前記審査手段が、該オークション会員が融資を受けること自体の適格を審査する基本審査部と、今回の融資が該オークション会員に対して定められた融資限度額以下のものであるかの審査を行う残額審査部とを有することを特徴とする。
【００１１】
また本発明は、請求項２または３に記載の発明において、前記審査手段による審査の基準を保持する融資適格審査基準ＤＢをさらに備えたことを特徴とする。
【００１２】
また本発明は、請求項１ないし４のうちのいずれか１項に記載の発明において、前記オークションで前記オークション会員が車両を落札した際の情報を登録する落札車両情報登録手段をさらに備えたことを特徴とする。
【００１３】
また本発明は、請求項５に記載の発明において、前記落札車両情報登録手段が、該落札した車両に対する融資の返済期限を登録し、前記落札車両情報登録手段によって登録された、該落札した車両に対する融資の返済期限に基づいて、該融資を受けたオークション会員に対して該返済期限の通知を行う通知手段をさらに備えたことを特徴とする。
【発明の効果】
【００１４】
本発明によれば、たとえば中古車のオークションなどで取引する際の車両取得費用の融資において、融資を受ける側による手続が容易で利便性を向上した融資に関する管理を行う車両取得費用管理システムを提供することができる。
【発明を実施するための最良の形態】
【００１５】
以下、本発明による実施の形態について図面を参照して説明する。
【００１６】
図１は、本発明による車両取得費用管理システムの一実施の形態のハードウェア構成を示すブロック図である。
【００１７】
本実施の形態では、オークションを運営するオークション運営会社（以下「オークション運営会社」という）と、会員登録してそのオークションに参加する会員（主に個人消費者に対して中古車販売を行う業者である。以下「オークション会員」という）と、この会員に対してオークション落札車両の取得費用を融資するファイナンス会社（以下「ファイナンス会社」という）とによって、オークションで中古車の売買をする場合を例にして説明する。
【００１８】
図１に示すように、本実施の形態の車両取得費用管理システムは、サーバーコンピュータ１とパソコン２とパソコン３とをネットワーク４で接続して構成される。パソコン２には各種書類を印刷するプリンタ２ａが接続され、パソコン３には各種書類を印刷するプリンタ３ａが接続されている。
【００１９】
図１において、ネットワーク４は、たとえばイーサネット（登録商標）やトークンリング等のＬＡＮやそのほかインターネットなど、また有線、無線を問わず、また通信プロトコルも問わず、どのようなネットワークでもかまわない。ネットワーク４に接続された各装置のそれぞれには、予めネットワーク上のアドレスが設定されており、各装置はこのアドレスによって識別され、ネットワーク４に接続された他の装置との通信を行う。
【００２０】
サーバーコンピュータ１は、たとえばファイナンス会社、もしくはサーバーの提供を行う第三者に設置され、本実施の形態の車両取得費用管理システムのソフトウェアプログラム（車両取得費用管理プログラム）を保持してこれを実行し、また、本実施の形態の後述する各種データベースを保持する。
【００２１】
パソコン２は、ファイナンス会社の担当者が操作するものであり、たとえばそのファイナンス会社に設置され、本実施の形態の車両取得費用管理システムのソフトウェアプログラム（車両取得費用管理プログラム）を保持してこれを実行する。
【００２２】
パソコン３は、オークション運営会社の担当者が操作するものであり、たとえばそのオークション運営会社に設置され、本実施の形態の車両取得費用管理システムのソフトウェアプログラム（車両取得費用管理プログラム）を保持してこれを実行する。
【００２３】
このパソコン２や３は、サーバーコンピュータ１と通信し、操作者によって車両取得費用管理システムのソフトウェアプログラムを起動する指示が入力される。またパソコン２や３からは車両取得費用管理システムに係る各種データが入力される。データ入力は、キーボードやマウス等によって行ってもよいし、書類をスキャナで読み取って入力するようなものであってもよいし、各種ディスクなどの記憶媒体に記憶された外部ファイルを取り込むようなものであってもよい。
【００２４】
図２は、図１に示した車両取得費用管理システムの機能構成を示すブロック図である。
【００２５】
なお、以下においてＤＢはデータベースの略である。
【００２６】
図２に示すように、車両取得費用管理システム１０は、入出力部１１と会員情報マスタＤＢ１３と運営会社用会員情報ＤＢ１４と保証人情報マスタＤＢ１３と落札車両情報マスタＤＢ１６と融資適格審査基準ＤＢ１７と帳票出力部１６と融資適格審査部１９とを有して構成される。また、入出力部１１による各種データ入出力に代わって外部ファイル１２による各種データの入出力も可能である。
【００２７】
入出力部１１は、たとえばパソコン２や３に設けられた、入力のためのキーボードやマウス、スキャナ等であり、出力のためのディスプレイ装置（ＣＲＴ、ＬＣＤ等）等である。
【００２８】
本実施の形態の車両取得費用管理システム１０によれば、以下のようなビジネスモデルをコンピュータによって実現、管理するシステムが提供される。
【００２９】
ここで、そのビジネスモデルの概略を説明しておく。上述のオークション会員は、あらかじめ融資サービスを受けるための登録を申請する。その登録がされたならば、オークション会員は、オークションで車両を落札したときに融資サービスを利用するか否かを選択する。
【００３０】
本実施の形態では、あらかじめ登録しておけば、融資サービスを利用する場合、利用しない場合に特に申請の手続は必要なく、融資サービスを利用しない場合には所定期間（たとえば７日）以内にオークション運営会社に対して落札代金の支払いを行うものとし、その所定期間（たとえば７日）を越えて落札代金の支払いがない場合には、自動的に融資サービスの利用へと進む。
【００３１】
融資サービスの概略は、オークション会員ごとに融資の限度額を定めておき、オークションで落札した車両１台ごとを単位として融資を行うものとしている。また、融資の限度額以内であれば車両何台分であっても融資を受けることができる。融資を受けた金額を返済する期限は、オークションの出品者から落札者への車両の譲渡にあたって車両の名義変更等に必要な譲渡書類の有効期限を考慮して定められる。たとえば譲渡書類には住民票が含まれるが、これには役所で取得後３ヶ月の有効期限が定めており、したがってオークションの出品者が譲渡書類を早目に取得していた場合、その譲渡書類の有効期限が残り少ない場合があり得る。このような場合、譲渡書類を再度取得したりする必要があり、手続きが煩雑になってしまう。
【００３２】
本実施の形態の融資サービスにおいて、譲渡書類の有効期限よりも前に、融資が完済されるように定めているのは、融資が完済された状態でオークションの出品者から落札者への車両の譲渡がされるようにするためである。
【００３３】
続いて、図２に示した各構成について説明する。
【００３４】
会員情報マスタＤＢ１３は、オークション会員から融資サービスを受けるための登録の申請があった場合に、そのオークション会員に関する情報をデータベースとして保持するデータベースである。この会員情報マスタＤＢ１３は、たとえばサーバーコンピュータ１に保持される。
【００３５】
この会員情報マスタＤＢ１３はファイナンス会社が参照するものであり、オークション運営会社が参照する会員情報は運営会社要会員情報ＤＢ１４である。運営会社要会員情報ＤＢ１４は、会員情報マスタＤＢ１３の各項目のうちオークション運営会社に提示すべきもののみを抽出したデータベースであり、会員情報マスタＤＢ１３の更新に伴なって運営会社要会員情報ＤＢ１４も更新される。
【００３６】
会員情報マスタＤＢ１３の内容の一例を図３に示す。
【００３７】
ここで、図３の会員情報マスタＤＢ１３の各項目について説明する。この会員情報マスタＤＢ１３ではオークション会員１者が１レコードとなる。
【００３８】
会員情報マスタＤＢ１３の「第１の会員番号」の項目には、そのオークション会員に対してファイナンス会社が付与した会員番号が格納される。
【００３９】
会員情報マスタＤＢ１３の「第２の会員番号」の項目には、そのオークション会員に対してオークション運営会社が付与した会員番号が格納される。
【００４０】
会員情報マスタＤＢ１３の「会員名」の項目には、そのオークション会員の名称が格納される。
【００４１】
会員情報マスタＤＢ１３の「会員住所」の項目には、そのオークション会員の住所が格納される。住所のほか、郵便番号、電話番号、ＦＡＸ番号、電子メールアドレスなどのそのオークション会員を特定する固有情報が格納されるものであってもよい。
【００４２】
会員情報マスタＤＢ１３の「登録申請受付日」の項目には、オークション会員からの融資サービスを受けるための登録の申請があった日付けが格納される。
【００４３】
会員情報マスタＤＢ１３の「不備」の項目には、登録の申請の際に提出された書類等の不備の有無が格納される。
【００４４】
会員情報マスタＤＢ１３の「不備・保留理由」の項目には、登録の申請の際に提出された書類等の不備があったり、登録が保留された場合の理由が格納される。
【００４５】
会員情報マスタＤＢ１３の「不備通知日」の項目には、登録の申請の際に提出された書類等の不備がオークション会員に通知された日付けが格納される。
【００４６】
会員情報マスタＤＢ１３の「不備修正日」の項目には、登録の申請の際に提出された書類等の不備が修正された日付けが格納される。
【００４７】
会員情報マスタＤＢ１３の「決済日」の項目には、融資サービスの利用を許可するか否かの決済がされた日付けが格納される。
【００４８】
会員情報マスタＤＢ１３の「審査結果」の項目には、融資サービスの利用を許可するか否かの審査結果が格納される。
【００４９】
会員情報マスタＤＢ１３の「利用限度額」の項目には、そのオークション会員に対して許可された融資サービスの融資限度額が格納される。
【００５０】
会員情報マスタＤＢ１３の「結果通知日」の項目には、登録の申請の結果がオークション会員に通知された日付けが格納される。
【００５１】
図２の運営会社要会員情報ＤＢ１４は、上述のように、会員情報マスタＤＢ１３の各項目のうちオークション運営会社に提示すべきもののみを抽出したデータベースである。この運営会社要会員情報ＤＢ１４は、たとえばサーバーコンピュータ１に保持される。
【００５２】
運営会社要会員情報ＤＢ１４の内容の一例を図４に示す。この運営会社要会員情報ＤＢ１４ではオークション会員１者が１レコードとなる。
【００５３】
ここで、図４の運営会社要会員情報ＤＢ１４の各項目について説明する。
【００５４】
運営会社要会員情報ＤＢ１４の「第１の会員番号」の項目には、そのオークション会員に対してファイナンス会社が付与した会員番号が格納される。
【００５５】
運営会社要会員情報ＤＢ１４の「第２の会員番号」の項目には、そのオークション会員に対してオークション運営会社が付与した会員番号が格納される。
【００５６】
運営会社要会員情報ＤＢ１４の「会員名」の項目には、そのオークション会員の名称が格納される。
【００５７】
運営会社要会員情報ＤＢ１４の「会員住所」の項目には、そのオークション会員の住所が格納される。住所のほか、郵便番号、電話番号、ＦＡＸ番号、電子メールアドレスなどのそのオークション会員を特定する固有情報が格納されるものであってもよい。
【００５８】
運営会社要会員情報ＤＢ１４の「決済日」の項目には、融資サービスの利用を許可するか否かの決済がされた日付けが格納される。
【００５９】
運営会社要会員情報ＤＢ１４の「審査結果」の項目には、融資サービスの利用を許可するか否かの審査結果が格納される。
【００６０】
運営会社要会員情報ＤＢ１４の「利用限度額」の項目には、そのオークション会員に対して許可された融資サービスの利用限度額が格納される。
【００６１】
運営会社要会員情報ＤＢ１４の「結果通知日」の項目には、登録の申請の結果がオークション会員に通知された日付けが格納される。
【００６２】
図２の保証人情報マスタＤＢ１５は、融資サービスを利用する登録申請の際にオークション会員から提出された、そのオークション会員の保証人に関する情報を保持するデータベースである。この保証人情報マスタＤＢ１５は、たとえばサーバーコンピュータ１に保持される。
【００６３】
保証人情報マスタＤＢ１５の内容の一例を図５に示す。この保証人情報マスタＤＢ１５ではオークション会員１者が１レコードとなる。
【００６４】
ここで、図５の保証人情報マスタＤＢ１５の各項目について説明する。
【００６５】
保証人情報マスタＤＢ１５の「第１の会員番号」の項目には、そのオークション会員に対してファイナンス会社が付与した会員番号が格納される。
【００６６】
保証人情報マスタＤＢ１５の「会員名」の項目には、そのオークション会員の名称が格納される。
【００６７】
保証人情報マスタＤＢ１５の「代表者氏名」の項目には、そのオークション会員の代表者の氏名が格納される。
【００６８】
保証人情報マスタＤＢ１５の「代表者住所」の項目には、そのオークション会員の代表者の住所が格納される。住所のほか、郵便番号、電話番号、ＦＡＸ番号、電子メールアドレスなどのそのオークション会員の代表者を特定する固有情報が格納されるものであってもよい。
【００６９】
保証人情報マスタＤＢ１５の「第一保証人氏名」の項目には、そのオークション会員の一人目の保証人の氏名が格納される。
【００７０】
保証人情報マスタＤＢ１５の「第一保証人住所」の項目には、そのオークション会員の一人目の保証人の住所が格納される。住所のほか、郵便番号、電話番号、ＦＡＸ番号、電子メールアドレスなどのそのオークション会員の代表者を特定する固有情報が格納されるものであってもよい。
【００７１】
保証人情報マスタＤＢ１５の「第二保証人氏名」の項目には、そのオークション会員の二人目の保証人の氏名が格納される。
【００７２】
保証人情報マスタＤＢ１５の「第二保証人住所」の項目には、そのオークション会員の二人目の保証人の住所が格納される。住所のほか、郵便番号、電話番号、ＦＡＸ番号、電子メールアドレスなどのそのオークション会員の代表者を特定する固有情報が格納されるものであってもよい。
【００７３】
なお、保証人としては一人だけ要求するものであってもよいし、三人以上の保証人を要求し、保証人情報マスタＤＢ１５にはその三人以上のすべての保証人についての情報を格納できるようにしてもよい。
【００７４】
図２の落札車両情報マスタＤＢ１６は、オークションに出品された車両の落札がされた場合に、その落札車両の情報と落札したオークション会員の情報とを関連付けて保持するデータベースである。さらに、その車両の出品者に関する情報を保持してもかまわない。この落札車両情報マスタＤＢ１６は、たとえばサーバーコンピュータ１に保持される。
【００７５】
落札車両情報マスタＤＢ１６の内容の一例を図６に示す。この落札車両情報マスタＤＢ１６では落札車両１台が１レコードとなる。
【００７６】
ここで、図６の落札車両情報マスタＤＢ１６の各項目について説明する。
【００７７】
落札車両情報マスタＤＢ１６の「落札会員名」の項目には、その車両を落札したオークション会員の名称が格納される。
【００７８】
落札車両情報マスタＤＢ１６の「第１の会員番号」の項目には、その車両を落札したオークション会員に対してファイナンス会社が付与した会員番号が格納される。
【００７９】
落札車両情報マスタＤＢ１６の「第２の会員番号」の項目には、その車両を落札したオークション会員に対してオークション運営会社が付与した会員番号が格納される。
【００８０】
落札車両情報マスタＤＢ１６の「落札日」の項目には、その車両が落札された日付けが格納される。
【００８１】
落札車両情報マスタＤＢ１６の「オークションＩＤ」の項目には、その車両のオークションを特定するように定められたオークションＩＤが格納される。
【００８２】
落札車両情報マスタＤＢ１６の「車種」の項目には、その車両の車種が格納される。
【００８３】
落札車両情報マスタＤＢ１６の「車台番号」の項目には、その車両の車台番号が格納される。
【００８４】
落札車両情報マスタＤＢ１６の「車両価格合計」の項目には、その車両の落札された価格の合計が格納される。この「車両価格合計」には、たとえば車両本体価格、各種付帯費用、落札料、自動車税、リサイクル料、消費税等を含むものであってもよいし、各料金ごとに落札車両情報マスタＤＢ１６に別項目を設けてもよい。
【００８５】
落札車両情報マスタＤＢ１６の「融資可否」の項目には、落札者がその車両の取得代金について融資サービスを受けることができるか否かの審査結果が格納される。
【００８６】
落札車両情報マスタＤＢ１６の「立替支払日」の項目には、融資サービスを利用して、その車両の代金を落札者に代わり、ファイナンス会社がオークション運営会社に対して立て替えて支払いした日付けが格納される。
【００８７】
落札車両情報マスタＤＢ１６の「譲渡書類有効期限入力日」の項目には、その車両の譲渡書類の有効期限を車両取得費用管理システム１０に入力した日付けが格納される。
【００８８】
落札車両情報マスタＤＢ１６の「譲渡書類有効期限」の項目には、その車両の譲渡書類の有効期限の日付けが格納される。
【００８９】
落札車両情報マスタＤＢ１６の「完済日（譲渡書類発送依頼日）」の項目には、その車両の代金の支払いに融資サービスを利用したオークション会員が、その融資金額を完済した日付け（この日が、その車両の譲渡書類をオークション運営会社からオークション会員に対して発送するように、ファイナンス会社がオークション運営会社に対して依頼する日となる。）が格納される。
【００９０】
図２の融資適格審査基準ＤＢ１７は、本実施の形態の融資サービスを受ける資格がそのオークション会員にあるか否かを審査するための審査基準を保持するデータベースである。この融資適格審査基準ＤＢ１７は、たとえばサーバーコンピュータ１に保持される。
【００９１】
この融資適格審査基準ＤＢ１７には、そのオークション会員が今までどのように融資を受け、返済を問題なく済ませてきたかどうかといった経歴、借入状況などの個人情報を、株式会社ジャパンデータバンク、株式会社シー・アイ・シー、株式会社日本情報センター、株式会社帝国データバンクといった個人信用情報機関から得て（この個人情報の入手はたとえば融資適格審査部１９で行う）、その個人情報の状況がどうであれば、融資可とするか、否とするか、融資限度額はどうするかといった基準が保持されている。
【００９２】
帳票出力部１８は、たとえば車両取得費用管理システム１０のソフトウェアプログラムが各コンピュータ１、２、３で実行されて実現されるものであり、データベースの内容や請求書等の各種帳票を作成し、プリンタ２ａ、３ａにて印刷出力したり、パソコン２や３にて表示出力する。
【００９３】
融資適格審査部１９は、たとえば車両取得費用管理システムのソフトウェアプログラムが各コンピュータ１、２、３で実行されて実現されるものであり、たとえば外部ネットワークに接続して個人信用情報機関から融資適格審査対象者（オークション会員）の個人情報を入手し、この個人情報と、融資適格審査基準ＤＢ１７に保持してある審査基準とに基づいて融資適格審査対象者の審査を実行し、その結果によってたとえば図３に示した会員情報マスタＤＢ１３の「審査結果」、「利用限度額」等の項目、図６に示した落札車両情報マスタＤＢ１６の「融資可否」等の項目の更新を行う。
【００９４】
融資適格審査部１９は、そのオークション会員が融資を受けること自体の適格を審査するものであって、融資サービスを受けるための登録の申請があった場合の審査や、車両落札時に実際に融資サービスを利用する場合の直前審査を行う基本審査部２０と、今回の融資がそのオークション会員に対して定められた融資限度額以下のものであるかの審査を行う残額審査部２１とを有する。
【００９５】
なお、融資適格審査部１９においては融資の際に必要とされる審査のすべてが行われる必要はなく、審査の少なくとも一部の処理が行われるものであればよい。
【００９６】
次に、本実施の形態の車両取得費用管理システム１０の動作について図面を参照しながら説明する。
【００９７】
図７は、図１や図２に示した車両取得費用管理システム１０の動作であって、融資サービスを受けるための登録の申請があった場合の処理のフローチャートを示す図である。
【００９８】
まず、この車両取得費用管理システム１０では、オークション運営会社の担当者がパソコン３を操作して、オークション会員からの登録の申請を入力したならば（Ａ−１）、図３に示した会員情報マスタＤＢ１３および図５に示した保証人情報マスタＤＢ１３にそのオークション会員のレコードを作成し、各項目に申請時の情報を格納する。この申請時の情報には、その会員を特定する情報や、その会員の保証人の情報などが含まれる。
【００９９】
その後、融資適格審査部１９の基本審査部２０によってそのオークション会員の審査が行われる（Ａ−２）。
【０１００】
基本審査部２０では、個人信用情報機関から個人情報や融資適格審査基準ＤＢ１７等に基づいて審査が行われる。コンピュータによる審査だけでは不十分な場合には、実地調査、面接、書類審査、電話による確認など人手による審査を行い、これを車両取得費用管理システム１０における審査結果に反映させることもできる。
【０１０１】
ステップ（Ａ−２）の審査の結果が否決であれば、たとえばパソコン３を操作するオークション運営会社の担当者宛てに電子メールでその旨を通知したり、あらかじめ登録してあるオークション運営会社のＦＡＸ番号や、そのオークション会員のＦＡＸ番号宛てに自動でＦＡＸ送信する（Ａ−３）。また、その結果によってたとえば図３に示した会員情報マスタＤＢ１３の「審査結果」等の項目の更新を行う。
【０１０２】
ステップ（Ａ−２）の審査の結果が可決であれば、たとえばパソコン３を操作するオークション運営会社の担当者宛てに電子メールでその旨を通知したり、あらかじめ登録してあるオークション運営会社のＦＡＸ番号や、そのオークション会員のＦＡＸ番号宛てに自動でＦＡＸ送信する（Ａ−４）。また、その結果によってたとえば図３に示した会員情報マスタＤＢ１３の「審査結果」、「利用限度額」等の項目の更新を行い、会員登録を実行する（Ａ−５）。
【０１０３】
図８は、図１や図２に示した車両取得費用管理システム１０の動作であって、オークション会員が出品車両を落札した場合の処理のフローチャートを示す図である。
【０１０４】
図７のステップ（Ａ−２）の審査結果が可決で登録されているオークション会員が、オークション運営会社が運営するオークションに参加して、車両を落札した場合、落札車両情報マスタＤＢ１６に１レコード追加する形でその車両に関する情報が追加され、落札結果の登録がされる（Ｂ−１）。この登録は、オークションに連動して自動でデータベースの更新をするものであってもよいし、オークションの終了を受けてオークション運営会社の担当者がパソコン３を操作してデータベース更新するものであってもよい。
【０１０５】
その後、落札代金の支払いが、オークション会員からオークション運営会社に対してされたならば（Ｂ−２）、オークション運営会社の担当者がパソコン３を操作して、現金決済完了の旨を車両取得費用管理システム１０に入力して処理を終了する。
【０１０６】
所定期間（本実施の形態では７日）が経過しても（Ｂ−３）、ステップ（Ｂ−２）の現金決済が完了しない場合には、車両取得費用管理システム１０の融資サービスの適用に進む。
【０１０７】
融資サービスの適用に際しては、まず、融資適格審査部１９の基本審査部２０および残額審査部２１によってそのオークション会員の審査が行われる（Ｂ−４）。
【０１０８】
基本審査部２０では、個人信用情報機関から個人情報や融資適格審査基準ＤＢ１７等に基づいて審査が行われる。コンピュータによる審査だけでは不十分な場合には、実地調査、面接、書類審査、電話による確認など人手による審査を行い、これを車両取得費用管理システム１０における審査結果に反映させることもできる。図７のステップ（Ａ−２）で登録時に審査を行っているのに、このステップ（Ｂ−４）でまた基本審査部２０による審査を行うのは、実際に融資を行う際に登録時と比べてオークション会員の状況が変化し、信用が悪化してしまっているおそれがあるためである。
【０１０９】
また、残額審査部２１では、図６に示した落札車両情報マスタＤＢ１６内の当該オークション会員のレコードのうち完済していないレコードの「車両価格合計」を合計し、今回融資しても図３に示した会員情報マスタＤＢ１３の「利用限度額」を越えないかどうかを審査する。越えなければ可決である。
【０１１０】
ステップ（Ｂ−４）の審査の結果が否決であれば、たとえばパソコン３を操作するオークション運営会社の担当者宛てに電子メールでその旨を通知したり、あらかじめ登録してあるオークション運営会社のＦＡＸ番号や、そのオークション会員のＦＡＸ番号宛てに自動でＦＡＸ送信する（Ｂ−５）。また、その結果によってたとえば図６に示した落札車両情報マスタＤＢ１６の「融資可否」等の項目の更新を行う。
【０１１１】
ステップ（Ｂ−４）の審査の結果が可決であれば、たとえばパソコン３を操作するオークション運営会社の担当者宛てに電子メールでその旨を通知したり、あらかじめ登録してあるオークション運営会社のＦＡＸ番号や、そのオークション会員のＦＡＸ番号宛てに自動でＦＡＸ送信する（Ｂ−６）。また、その結果によってたとえば図６に示した落札車両情報マスタＤＢ１６の「融資可否」、「立替支払日」、「返済期限日」等の項目の更新を行う。
【０１１２】
ファイナンス会社では、「立替支払日」に落札車両代金を立て替えてオークション運営会社に支払いを行う。
【０１１３】
「返済期限日」は、落札日から、あらかじめ定めた期間（たとえば５週間）の過ぎた日に設定されるが、たとえばパソコン３を操作するオークション運営会社の担当者によって落札車両情報マスタＤＢ１６の「譲渡書類有効期限入力日」、「譲渡書類有効期限」の入力があった場合には、その有効期限内に車両の譲渡手続きが完了する必要があるので、それ以前の余裕を持った日が「返済期限日」として設定される。
【０１１４】
これらの設定結果に基づいて、ファイナンス会社からオークション会員に向けた請求書等の帳票出力部１８による印刷がされ、「譲渡書類有効期限」の入力により「返済期限日」が変更された場合にはその情報に基づいて請求書等が帳票出力部１８により再印刷される（Ｂ−７）。
【０１１５】
図９は、図１や図２に示した車両取得費用管理システム１０の動作であって、オークション会員による融資返済時の処理のフローチャートを示す図である。
【０１１６】
上述のようにファイナンス会社によるオークション会員に対する融資は車両１台を単位に行われ、この車両１代分の融資返済が完了しならば、ファイナンス会社の担当者はたとえばパソコン２を操作して、その返済結果を車両取得費用管理システム１０に送信する。ステップ（Ｃ−１）ではこの送信結果を見ており、代金返済完了であれば、その場合の処理を行なう。すなわち、図６に示した落札車両情報マスタＤＢ１６の「完済日（譲渡書類発送依頼日）」に完済日を入力するとともに、たとえばパソコン３を操作するオークション運営会社の担当者宛てに電子メールで譲渡書類発送依頼をしたり、あらかじめ登録してあるオークション運営会社のＦＡＸ番号や、そのオークション会員のＦＡＸ番号宛てに自動でＦＡＸで譲渡書類発送依頼を送信する（Ｃ−２）。
【０１１７】
ステップ（Ｃ−１）で代金返済完了でなければ、図６に示した落札車両情報マスタＤＢ１６の「返済期限日」をチェックし、現在の日付けが「返済期限日」よりもたとえば所定日前になったり、融資開始から所定期間が経過したりした場合（Ｃ−３）には、たとえばオークション会員宛てに電子メールでその旨（たとえば期限が迫っていることの通知、返済要求の通知）を通知したり、あらかじめ登録してあるオークション会員のＦＡＸ番号宛てに自動でＦＡＸ送信し（Ｃ−４）、完済を促す。
【図面の簡単な説明】
【０１１８】
【図１】本発明による車両取得費用管理システムの一実施の形態のハードウェア構成を示すブロック図である。
【図２】図１に示した車両取得費用管理システムの機能構成を示すブロック図である。
【図３】会員情報マスタＤＢ１３の内容の一例を示す図である。
【図４】運営会社要会員情報ＤＢ１４の内容の一例を図４に示す図である。
【図５】保証人情報マスタＤＢ１５の内容の一例を図５に示す図である。
【図６】落札車両情報マスタＤＢ１６の内容の一例を図６に示す図である。
【図７】図１や図２に示した車両取得費用管理システム１０の動作であって、融資サービスを受けるための登録の申請があった場合の処理のフローチャートを示す図である。
【図８】図１や図２に示した車両取得費用管理システム１０の動作であって、オークション会員が出品車両を落札した場合の処理のフローチャートを示す図である。
【図９】図１や図２に示した車両取得費用管理システム１０の動作であって、オークション会員による融資返済時の処理のフローチャートを示す図である。
【符号の説明】
【０１１９】
１  サーバーコンピュータ
２  パソコン
２ａ  プリンタ
３  パソコン
３ａ  プリンタ
４  ネットワーク
１０  車両取得費用管理システム
１１  入出力部
１２  外部ファイル
１３  会員情報マスタＤＢ
１４  運営会社用会員情報ＤＢ
１５  保証人情報マスタＤＢ
１６  落札車両情報マスタＤＢ
１７  融資適格審査基準ＤＢ
１８  帳票出力部
１９  融資適格審査部
２０  基本審査部
２１  残額審査部
【図１】
2007249769.tif 000003
【図２】
2007249769.tif 000004
【図３】
2007249769.tif 000005
【図４】
2007249769.tif 000006
【図５】
2007249769.tif 000007
【図６】
2007249769.tif 000008
【図７】
2007249769.tif 000009
【図８】
2007249769.tif 000010
【図９】
2007249769.tif 000011